(57)【要約】      （修正有）【課題】マイナスイオン発生器のストレス低減効果や疲労回復効果をさらに高めるとともにリラックス効果や癒やし効果をもたらすアロマ芳香を発生することができるアロマ発生可能携帯型マイナスイオン発生装置を提供する。また、ま不必要な時はアロマ芳香の発生を中断できるアロマ発生可能携帯型マイナスイオン発生装置を提供する。【解決手段】電子放射式マイナスイオン発生装置とアロマ含浸剤収容容器が開閉できるアロマ芳香発生装置を組み合わせ、電池電源と電源スイッチ１−６、電子放射式マイナスイオン発生部と該発生部より発生したマイナスイオンを送り出すための送風路を有した送風装置とを備え、前記送風路にアロマ剤等の薬剤含浸部材を配置した構成とする。【選択図】図１
2013009830.tif 000002
【特許請求の範囲】
【請求項１】
電池電源と電源スイッチ、電子放射式マイナスイオン発生部と該発生部より発生したマイナスイオンを送り出すための送風路を有した送風装置とを備え、前記送風路にアロマ剤等の薬剤含浸部材を配置したことを特徴とするアロマ発生可能携帯型マイナスイオン発生装置。
【請求項２】
上記請求項１記載のアロマ発生可能携帯型マイナスイオン発生装置において、前記薬剤含浸部材を前記送風路中に露出したり遮断したりする手段をさらに有することを特徴とするアロマ発生可能携帯型マイナスイオン発生装置。
【請求項３】
上記請求項１もしくは２記載のアロマ発生可能携帯型マイナスイオン発生装置において、前記薬剤含浸部材を交換可能としたことを特徴とするアロマ発生可能携帯型マイナスイオン発生装置。
【請求項４】
上記請求項１もしくは２記載のアロマ発生可能携帯型マイナスイオン発生装置において、外部電源接続端子をさらに備えることを特徴とするアロマ発生可能携帯型マイナスイオン発生装置。
【発明の詳細な説明】
【技術分野】
【０００１】
本発明は、アロマ発生可能携帯型マイナスイオン発生装置に関する。
【背景技術】
【０００２】
現在、われわれの生活を取り巻く環境において、自動車の排気ガスやほこり、ばい煙によって空気が汚染されてくると大気中にはプラスイオンが増加し、体がだるくなったり不調を感じさせるようになると言われている。
【０００３】
一方、雨が勢い良く降ったり、大気中の湿度が少ない時はすがすがしさを感じさせ、このときは大気中にマイナスイオンが増えているという事実が確認されている。
【０００４】
このマイナスイオンは細胞の活性化を促進し、精神を安定化し、疲労回復効果すなわち自己治癒力を高める効果があり、ダニや細菌などには殺菌力が効いたり、花粉などのアレルゲンに対しては刺激を低減させたりする効果があるとされている。
【０００５】
また、マイナスイオンの精神安定化効果や疲労回復効果は現代社会に生活する我々を取り巻く各種のストレスを癒やすという効果に繋がることも期待できる。
【０００６】
上記のような浮遊細菌や花粉を取り除くために、空気清浄機や空気調節機が開発されているが、室内のような閉鎖空間用であり、屋外で使用することはできない。
【０００７】
現在屋外で活動する場合にはもっぱらマスクが用いられるが、大気を完全に遮断することが難しく、活動時に息苦しさを感ずるという欠点がある。
【０００８】
一方、屋外において上記マスクに頼らない方法として、小型のマイナスイオン発生器を携帯して周囲の空気を浄化する方法がある。これは、大気中に浮遊する細菌等を、イオン発生器からのマイナスイオンが取り囲んで不活性殺菌する効果があるといわれている。
【０００９】
このような携帯型マイナスイオン発生装置に利用できるマイナスイオン発生方法としては、電気放電による方法やトルマリン等の天然鉱石を用いる方法が知られている。
【００１０】
上記電気放電方式にはコロナ放電方式と電子放射方式が知られているが、コロナ放電方式では人体に有害なオゾンを発生する恐れがあるため電子放射方式が有望である。
【００１１】
上記のような携帯型マイナスイオン発生器としては特許文献１，２に開示されるものに代表される先行技術思想がある。しかし、発生されたマイナスイオンは無味無臭のため、該発生器を携行する使用者には、果たしてマイナスイオンが正常に発生しており効果を発揮しているのかをはっきり認識することができない。
【００１２】
特許文献３に開示されるのは、イオン発生と共にアロマ芳香を発生させる携行型発生器に係る技術思想であり、マイナスイオン発生をアロマの芳香で確認でき、更にアロマの癒し効果とマイナスイオンの相乗効果が期待できる優れた考案である。
【００１３】
しかし、当該文献に開示される方法では、トルマリンやレアアース鉱石のような鉱物に送風するだけなので多量のイオン発生は期待できない。また、アロマの芳香は万人に好まれるものではないため多人数が集まる人ごみや劇場等では他人に迷惑がかかる恐れがあることから使用が制限されてしまう。
【先行技術文献】
【特許文献】
【００１４】
【特許文献１】特開２０００−１５７６３９号公報
【特許文献２】特開２００５−３８７３１号公報
【特許文献３】特開２００４−２４２７３７号公報
【発明の概要】
【発明が解決しようとする課題】
【００１５】
前述のように、個人が簡単に携帯でき、各種効果のあるマイナスイオンを携帯者の周囲に大量に発生させると同時にマイナスイオンの発生を確認できるようアロマも同時に発生できる機能を有し、かつ、不必要なときはアロマの発生のみを中止できるアロマ発生可能携帯型マイナスイオン発生装置を実現することが課題である。
【課題を解決するための手段】
【００１６】
上記のような各課題を解決する本発明に係るアロマ発生可能携帯型マイナスイオン発生装置は、（請求項１）の如く、マイナスイオン発生器と発生したマイナスイオンを吸気口からの外気を携帯者呼吸器付近の排気口に送風する送風機と、マイナスイオンを排気口に導くための送風路と、送風路中にアロマ剤のような液材を含浸した部材を設置することによりマイナスイオンとアロマの芳香を同時に携帯者に供給することができるアロマ発生可能携帯型マイナスイオン発生装置とすることができる。
【００１７】
また、（請求項２）の如く、送風路中のアロマ含浸部材は開閉可能な容器中に設置しており、該容器は容器の蓋を外部より開閉することができ、開の場合はアロマ含浸部材が送風路中に露出してマイナスイオンとともにアロマ芳香を排気口から放出し、該容器の蓋が閉の場合はアロマ含浸部材には送風が当たらないよう遮断されるようにしてもよい。
【００１８】
更に、（請求項３）の如く、上記アロマ含浸部材は外部より交換可能な構造としてもよい。
【００１９】
また、（請求項４）の如く、外部電源接続端子を有し、室内での固定使用のような場合には電池の消耗を避けるため外部の電源やパソコンのＵＳＢ電源を用いるようにすることもできる。
【発明の効果】
【００２０】
以上、説明したように、本発明に係るアロマ発生可能携帯型マイナスイオン発生装置を携行することにより、マイナスイオンによる肩こりやイライラ感を軽減するストレス軽減効果、疲労を回復させたり夜良く眠れるような疲労軽減効果、リラックス効果が得られる。
【００２１】
また、マイナスイオンとともに発生するアロマ芳香により上記効果をさらに促進し、精神を落ち着かせて癒やしの効果をもたらすものである。
【００２２】
さらに、含浸剤としてアロマの代わりにアレルギー低減薬剤を含浸させれば、ストレス低減等の効果に加えて花粉症等のアレルギー反応抑制効果も得られる。
【００２３】
さらに、含浸剤として殺虫剤を用いてカやハエを寄せ付けないという効果を期待することもできる。
【図面の簡単な説明】
【００２４】
【図１】本発明に係るアロマ発生可能携帯型マイナスイオン発生装置の一実施例を試作した製品の概要図である。
【図２】本発明に係るアロマ発生可能携帯型マイナスイオン発生装置の一実施例を携行する場合の概略図である。
【図３】本発明に係るアロマ発生可能携帯型マイナスイオン発生装置の一実施例の内部構造を示す概略図である。
【図４】本発明に係るアロマ発生可能携帯型マイナスイオン発生装置の一実施例のブロックダイヤグラムである。
【図５】本発明に係るアロマ発生可能携帯型マイナスイオン発生装置の含浸部材収容容器の一実施例説明図である。
【図６】本発明に係るアロマ発生可能携帯型マイナスイオン発生装置の別の実施例を試作した製品の概要図である。
【図７】本発明に係るアロマ発生可能携帯型マイナスイオン発生装置の図６に示す実施例の内部構造を示す概略図である。
【図８】本発明に係るアロマ発生可能携帯型マイナスイオン発生装置の図６に示す実施例の含浸部材収容容器の実施例説明図である。
【発明を実施するための形態】
【００２５】
以下、図面を参照して本発明の実施形態を説明する。なお、以下では本発明の目的を達成するための説明に必要な範囲を模式的に示し、本発明の該当部分の説明に必要な範囲を主に説明することとし、説明を主略する箇所については公知技術によるものとする。
【００２６】
図１は本発明の一実施形態に係るアロマ発生可能携帯型マイナスイオン発生装置１−１の概略図である。
【００２７】
マイナスイオン発生部とアロマ発生部はケース１−２に収容されており、ケース１−２の前面には空気取り入れ口１−３があり、該取り入れ口から取り入れられた空気はマイナスイオンとアロマ芳香が添加され、空気排出口１−４から排出される。
【００２８】
また、ケース１−２の側面には電源スイッチ１−６とアロマ芳香を添加するか否かをＯＮ／ＯＦＦするアロマＯＮ／ＯＦＦレバー１−８とアロマ含浸剤を挿入する挿入口１−７および外部電源接続端子１−９が設置されている。
【００２９】
さらに、ケース１−２の上部には吊り金具１−５が設けられており、ここに吊り紐１−１０を結び、図２のごとく首から下げれば空気排出口１−４からのマイナスイオンとアロマが使用者２−１の鼻腔と口付近に到達するようにできる。
【００３０】
図３は本発明の一実施形態に係るアロマ発生可能携帯型マイナスイオン発生装置１−１の内部構造の概略図である。ケース１−２下部には電源電池３−１が収容され、空気取り入れ口１−３の後ろには空気中の埃等が入り込まないようなフィルター３−１０（図示省略）が設置され、その後ろにファンモーターに代表される送風装置３−３がある。
【００３１】
本発明の一実施形態に係るアロマ発生可能携帯型マイナスイオン発生装置１−１の電源スイッチ１−６をＯＮにすると送風装置３−３が動作して、空気取り入れ口１−３から取り込まれた空気は、送風路３−４を通って上方のマイナスイオン発生部３−５の脇を通り、該発生部３−５の上方に設置された放電針３−６の周辺で発生したマイナスイオンが添加され送風路３−７を通ってさらに上方に送られる。
【００３２】
送風路３−７中にはアロマ発生部３−８があり、アロマＯＮ／ＯＦＦレバー１−８がＯＮの場合は後述の通りアロマ発生部３−８が開状態となり、アロマ含浸剤が送風路３−７中に露出してアロマ芳香が送風空気に添加され、前記マイナスイオンとともにマイナスイオン＋アロマ芳香空気として空気放出口１−４より放出される。
【００３３】
マイナスイオンだけを添加された空気は無味無臭であり、周囲の人に迷惑をかけることはないが、アロマ芳香が添加された場合は周囲の人に迷惑となる場合がある。この場合はアロマＯＮ／ＯＦＦレバー１−８をＯＦＦとすればアロマ発生部３−８は密閉されて送風空気にはアロマ芳香は添加されない。
【００３４】
図４は本発明の一実施形態に係るアロマ発生可能携帯型マイナスイオン発生装置１−１の動作を説明するブロックダイヤグラムである。電池電源３−１あるいは外部電源端子１−９からの電源が電源スイッチ１−６でＯＮとなると、電子放射方式のマイナスイオン発生部３−５と送風装置３−３に印加される。なお、外部電源端子１−９は、通常のＤＣアダプター用のジャックでもパソコン用のＵＳＢジャックでも良く、デスクワーク時には内蔵電池の消耗を避けるため本端子より外部電源やパソコンＵＳＢ電源を入力してやることができる。
【００３５】
マイナスイオン発生部３−５はブロッキング発振回路等で構成されるパルス発生回路４−１で発生されたパルスがコックロフト・ウオルトン回路等で構成される昇圧回路４−２によって昇圧され、マイナス電極回路４−３の放電針３−６から放電が行われ、周囲の空気をマイナスイオン化する。
【００３６】
マイナスイオン発生部３−５の動作とともに送風装置３−３が動作し、外部の空気を取り入れ口１−３からフィルター３−１０を通して取り入れる。取り入れられた空気は送風路３−４を通って放電針３−６付近に発生するマイナスイオンとともに送風路３−７に設置されているアロマ発生部３−８を経由してアロマ芳香が添加され空気放出口１−４から放出される。アロマ発生部３−８はアロマ含浸部材を収容する収容容器４−６とアロマ含浸部材４−５とを備えて構成される。
【００３７】
次に、図５を用いてアロマ発生部３−８について説明する。５−ａはアロマ含浸部材を収容する収容容器４−６が閉の状態の概略図である。該収容容器４−６は５−ｂに示す内筒５−３と５−ｃに示すレバー５−１が付いた外筒５−４から構成される。内筒５−３はケース１−２に対して固定であり、筒の上下に約９０度の切欠き５−５と５−６とがある。
【００３８】
一方外筒５−４は５−３と同様な切欠き５−７と５−８とを有し、内筒５−３の外側を摺動するように設置されている。すなわち、ケース１−２の側面の切欠き５−２から突出した外筒５−４のレバー５−１を回転させることにより、互いの切欠き部が重なったときには収容容器４−６の上下が開状態となり、収容容器４−６に収容された５−ｄに示すアロマ含浸部材４−５が送風路３−７中に露出する。逆に、切欠き部が全く重ならないようにレバー５−１を設定すれば、収容容器４−６は密閉状態となり、アロマ含浸部材４−６は送風路３−７から遮断される。なお、アロマ含浸部材４−５はアロマ薬剤等を含浸できるような、繊維素材や織物、紙、吸水性ポリマー、多孔質素材等で構成される。
【００３９】
図６、７、８は、アロマ発生の別の方法を説明する図である。図６では図１に示すアロマ発生可能携帯型マイナスイオン発生装置１−１の裏面にアロマ発生部を設置したような形態とした例である。ケース１−２の裏面にアロマ含浸部材６−３を収容する収容容器６−１を設置し、側面からアロマ含浸部材６−３を挿入する。アロマ芳香のＯＮ／ＯＦＦはやはり裏面のＯＮＮ／ＯＦＦレバー６−２で行う。
【００４０】
図７は、図６のアロマ発生部のケース１−２内の状態を示す概略図である。アロマ発生にかかわる部分のみに番号を振り、図１と同じ部材の番号は省略してある。図７ではアロマ発生がＯＮの状態を示し、遮断板７−１は切欠き部７−２を覆っておらず、切欠き部７−２内のアロマ含浸部材６−３は送風路３−７に露出している。
【００４１】
図８はアロマ発生のＯＮ／ＯＦＦ動作を説明する図である。８−ａでは、レバー６−２が取り付けられた遮断板７−１が切欠き７−２を覆っておらず、アロマ含浸部材６−３が送風路３−７に露出しており送風路３−７中にアロマ芳香を発生する。８−ｂでは、レバー６−２を押し下げ切欠き７−２を遮断板７−１で覆ってしまい、送風路３−７中にはアロマ芳香を発生しない。
【００４２】
なお、８−ｃに示すごとく遮蔽板７−１にはレバー６−２がネジ７−３で取り付けられており、ケース１−２の溝７−４に沿って上下移動し、切欠き部７−４の開閉を行う。
【００４３】
上記のようにアロマ発生について２方法の例を説明したように、アロマ発生のＯＮ／ＯＦＦ方法については種々の方法が考えられる。上記２例以外のアロマ芳香発生をＯＮ／ＯＦＦする方法も、本発明の思想範疇に含まれる。
【００４４】
また、上記説明においては送風装置によってマイナスイオンとアロマ芳香を送風していたが、よく知られるように電子放射方式のマイナスイオン発生においては放電針に沿ってイオン風という空気の流れができるため、これを利用してマイナスイオンとアロマ芳香をケース外に送出し、送風装置を省略することもできる。
【００４５】
上述してきたように、本願発明によるアロマ発生可能携帯型マイナスイオン発生装置を携帯することにより、マイナスイオンのストレス軽減効果、疲労回復効果に加えて、アロマ芳香による精神リラックス効果、癒やし効果が期待できる。
【００４６】
上記までの説明ではアロマ含浸部材にはアロマ芳香を発生する薬剤を含浸させる場合について説明してきたが、アロマ剤に変えて花粉症等のアレルギー症状抑制薬剤を含浸させたものを用いれば、息苦しいマスクを装着することなく、マイナスイオンのストレス軽減効果と相まってアレルギー症状を抑えることが期待できる。
【００４７】
さらに含浸薬剤として殺虫剤を用いれば顔にまとわりつく蚊や蠅を寄せ付けないという利用方法もある。
【００４８】
同様に、咽用の吸入剤等を含浸させれば、咽の痛みを和らげたり風邪の防止利用にも役立つと考えられる。
【産業上の利用可能性】
【００４９】
上述してきたように、本願発明によるアロマ発生可能携帯型マイナスイオン発生装置を携帯することにより、マイナスイオンのストレス軽減効果、疲労回復効果に加えて、アロマ芳香による精神リラックス効果、癒やし効果が期待できる。したがって、本発明は家電産業他各種産業にて利用可能性を有する。
【符号の説明】
【００５０】
１−１…本願アロマ発生可能携帯型マイナスイオン発生装置、１−２…ケース、１−３…空気取り入れ口、１−４…空気排出口、１−５…吊り金具、１−６…電源スイッチ、１−７…挿入口、１−８…アロマＯＮ／ＯＦＦレバー、１−９…外部電源接続端子、１−１０…吊り紐、２−１…使用者、３−１…電源電池、３−３…送風装置、３−４…送風路、３−５…マイナスイオン発生部、３−６…放電針、３−７…送風路、３−８…アロマ発生部、３−１０…フィルター、４−１…パルス発生回路、４−２…昇圧回路、４−３…マイナス電極回路、４−５…アロマ含浸部材、４−６…収容容器、５−１…レバー、５−２…切欠き、５−３…内筒、５−４…外筒、５−５…切欠き、５−６…切欠き、５−７…切欠き、５−８…切欠き、６−１…収容容器、６−２…レバー、６−３…アロマ含浸部材、７−１…遮蔽板、７−２…切欠き部、７−３…ネジ、７−４…切欠き部
【図１】
2013009830.tif 000003
【図２】
2013009830.tif 000004
【図３】
2013009830.tif 000005
【図４】
2013009830.tif 000006
【図５】
2013009830.tif 000007
【図６】
2013009830.tif 000008
【図７】
2013009830.tif 000009
【図８】
2013009830.tif 000010